(57)【要約】【課題】  複数の画像を配置する際に、利用者の希望に沿うレイアウトで配置し、かつその配置が短時間で行える写真撮影編集方法及びその装置を提案し、利用者の満足度の向上と、回転率向上による店舗経営者の満足度の向上を図る。【解決手段】  一以上の利用者を撮影手段で撮影して撮影画像を作成する撮影処理を許容し、該撮影画像、又は／及び他の取得手段で取得の取得画像等の編集対象画像に、利用者が編集手段で編集して編集画像を作成する編集処理を許容し、所定の画像を出力手段で出力する写真撮影編集方法であって、前記編集処理又は出力処理の少なくとも一方の処理にて複数の画像を出力する場合に、前の処理で利用者が入力した入力情報に基づいて画像に優先順位を付け、出力する複数の画像の配置を上記優先順位に基づいて配置決定手段が決定する。【選択図】    図１７
2006050064.tif 000002
【特許請求の範囲】
【請求項１】
一以上の利用者を撮影手段で撮影して撮影画像を作成する撮影処理を許容し、
該撮影画像、又は／及び他の取得手段で取得の取得画像等の編集対象画像に、利用者が編集手段で編集して編集画像を作成する編集処理を許容し、
所定の画像を出力手段で出力する写真撮影編集方法であって、
前記編集処理又は出力処理の少なくとも一方の処理にて複数の画像を出力する場合に、前の処理で利用者が入力した入力情報に基づいて画像に優先順位を付け、出力する複数の画像の配置を上記優先順位に基づいて配置決定手段が決定する
写真撮影編集方法。
【請求項２】
前記入力情報を、前の処理で画像が選択された選択順とし、
前記優先順位を、上記選択順の早いものから順番とする
請求項１記載の写真撮影編集方法。
【請求項３】
前記出力手段を、印刷用画像を印刷する印刷手段で構成し、
前記配置決定手段により、前記印刷用画像を作成する際の画像配置用のレイアウトにサイズが異なる複数の配置枠がある場合に、サイズが大きい配置枠に優先順位が高い画像を配置する
請求項１又は２記載の写真撮影編集方法。
【請求項４】
利用者による任意の配置を配置許容手段により許容し、
該配置許容手段による任意の配置と、前記配置決定手段による配置とのいずれによって画像を配置するか配置方法選択手段により選択許容する
請求項３記載の写真撮影編集方法。
【請求項５】
一以上の利用者を撮影して撮影画像を作成する撮影処理が実行可能な撮影手段と、
該撮影画像、又は／及び他の取得手段で取得の取得画像といった編集対象画像を編集して編集画像を作成する編集処理が実行可能な編集手段と、
所定の画像を出力する出力処理が実行可能な出力手段とを備えた写真撮影編集装置であって、
前記編集処理又は出力処理の少なくとも一方の処理にて複数の画像を出力する場合に、前の処理で利用者が入力した入力情報に基づいて画像に優先順位を付け、出力する複数の画像の配置を上記優先順位に基づいて決定する配置決定手段を備えた
写真撮影編集装置。
【請求項６】
前記入力情報を、前の処理で画像が選択された選択順で構成し、
前記優先順位を、上記選択順の早いものから順番とする構成とした
請求項５記載の写真撮影編集装置。
【請求項７】
前記出力手段を、印刷用画像を印刷する印刷手段で構成し、
前記配置決定を、前記印刷用画像を作成する際の画像配置用のレイアウトにサイズが異なる複数の配置枠がある場合に、サイズが大きい配置枠に優先順位が高い画像を配置する構成とした
請求項５又は６記載の写真撮影編集装置。
【請求項８】
利用者による任意の配置を許容する配置許容手段を備え、
該配置許容手段による任意の配置と、前記配置決定手段による配置とのいずれによって画像を配置するか選択許容する配置方法選択手段を備えた
請求項７記載の写真撮影編集装置。
【発明の詳細な説明】
【技術分野】
【０００１】
この発明は、例えば写真を撮影して編集し、編集画像を印刷して写真シールシートを作成するような写真撮影編集方法及びその装置に関する。
【背景技術】
【０００２】
従来の写真撮影編集装置では、主に多人数の利用者が、硬貨投入後に筐体内に設置されたカメラで利用者自身を撮影する。記録された画像には、タッチパネル付きのモニタ上で付属のタッチペン等を用いて、所定または任意の文字や図形等を書き込んで編集し、個性的な画像を作成する。作成した画像は、シール紙に分割印刷する。
【０００３】
このような写真撮影編集装置では、印刷の際に大きさの異なる画像の配置を利用者が自由に選択できるものが提案されている（特許文献１、２参照）。
【０００４】
また、印刷設定時に、サムネイル画像を一覧表示するものや（特許文献３）、編集時にサムネイル画像を一覧表示するもの（特許文献４）も提案されている。
【０００５】
しかし、画像の配置を利用者が選択する場合は、時間制限を設けなければ配置に時間をかける人が増えて回転率が悪くなり、経営者側にはデメリットになる問題がある。
【０００６】
そして、画像の配置を選択するために時間制限を設けた場合は、迷っているうちに時間が経過するため、利用者が気に入った配置に設定できないままシール印刷されてしまい、利用者の満足度が低下する可能性がある。
【０００７】
また、サムネイル画像の一覧表示は、撮影された順番またはランダムで表示されるため、利用者の希望に沿わない配置となる可能性がある。
【０００８】
【特許文献１】特許第３００５７１６号公報
【特許文献２】特許第３４７２７７０号公報
【特許文献３】特開２００３−３０４４７４号公報
【特許文献４】特許第３４６３２８４号公報
【発明の開示】
【発明が解決しようとする課題】
【０００９】
この発明は、上述の問題に鑑み、複数の画像を配置する際に、利用者の希望に沿うレイアウトで配置し、かつその配置が短時間で行える写真撮影編集方法及びその装置を提案し、利用者の満足度の向上と、回転率向上による店舗経営者の満足度の向上を図ることを目的とする。
【課題を解決するための手段】
【００１０】
この発明は、一以上の利用者を撮影手段で撮影して撮影画像を作成する撮影処理を許容し、該撮影画像、又は／及び他の取得手段で取得の取得画像等の編集対象画像に、利用者が編集手段で編集して編集画像を作成する編集処理を許容し、所定の画像を出力手段で出力する写真撮影編集方法又はその装置であって、前記編集処理又は出力処理の少なくとも一方の処理にて複数の画像を出力する場合に、前の処理で利用者が入力した入力情報に基づいて画像に優先順位を付け、出力する複数の画像の配置を上記優先順位に基づいて配置決定手段が決定することを特徴とする。
【００１１】
前記編集手段は、利用者にタッチペン又は指でタッチされた座標を取得するタッチパネルやマウス等のポインティングデバイス（座標入力手段）で構成することを含む。
【００１２】
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することを含む。
【００１３】
前記取得画像は、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することを含む。
【００１４】
前記編集対象画像は、前記撮影画像又は／及び前記取得画像で構成することを含む。
【００１５】
前記所定の画像は、前記撮影画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００１６】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することを含む。
【００１７】
前記入力情報は、前の処理での画像の選択順、その画像の選択回数、その画像を選択している時間（例えばその画像の編集時間等）の長さ、又はこれらの組み合わせで構成することを含む。
【００１８】
前記画像の配置は、出力処理にて出力（例えば印刷）する際の画像の配置（いわゆる分割配置）とすることができる。また、編集処理にて撮影画像又は／及び編集画像をサムネイル表示する場合の配置とすることもできる。
【００１９】
前記前の処理は、編集処理の前の処理としての撮影処理、出力処理の前の処理としての編集処理（若しくは撮影処理）、又は、より細かい単位での前の処理で構成することを含む。より細かい単位での前の処理としては、画面に表示する表示処理や印刷用のレイアウト決定処理等に対して、それより前に行っている画像を選択する選択処理等の処理を含む。
【００２０】
前記構成により、前の処理にて利用者が入力した入力情報に基づいて、画像の配置を決定することができる。従って、例えば入力情報に基づいて利用者が気に入っていると想定できる画像を、先に配置、大きく配置、多く配置、又はこれらの組み合わせにより配置するといったことができる。
【００２１】
また、編集時に画面にサムネイルで一覧表示される撮影画像の順番を、利用者が気に入っているだろうと想定される順番（例えば、迷わず早く選んだ画像の順番等）で表示し、利用者が編集時に画像を選択しやすくして、編集作業（落書き）に多く時間を費やせるようにすることができる。
【００２２】
また、印刷設定前に画面にサムネイルで一覧表示される編集後の画像の順番を、利用者が気に入っているだろうと想定される順番で表示し、利用者が印刷設定前に画像を選択しやすくして、次の分割パターンを選ぶ工程に多く時間を費やせるようにすることができる。
【００２３】
また、印刷設定時に画面上で印刷プレビューされる分割パターンの画像レイアウトを、利用者が希望するレイアウト（例えば、迷わず早く選んだ画像の順番のレイアウト等）で表示し、利用者が気に入った画像を大きくまたは多く印刷できるようにして、それ以外にも様々な分割パターンをプレビューできる時間を多くとることもできる。
【００２４】
この発明の態様として、前記入力情報を、前の処理で画像が選択された選択順とし、前記優先順位を、上記選択順の早いものから順番とすることができる。  
これにより、前の処理での利用者の選択順で画像を配置できる。通常は利用者が気に入った画像から選択すると考えられるため、利用者の希望に沿った配置にすることができる。また、前の処理での選択順であるから、違和感なく画像の配置順を理解し受け入れることができる。
【００２５】
またこの発明の態様として、前記出力手段を、印刷用画像を印刷する印刷手段で構成し、前記配置決定手段により、前記印刷用画像を作成する際の画像配置用のレイアウトにサイズが異なる複数の配置枠がある場合に、サイズが大きい配置枠に優先順位が高い画像を配置することができる。
【００２６】
これにより、優先順位が高い画像を大きい配置枠に配置した印刷用画像を作成することができ、この印刷用画像を印刷した写真シールシートを提供することができる。優先順位が利用者の気に入っている順位となっていれば、利用者は気に入った画像が大きく配置されていることで、十分な満足を得ることができる。
【００２７】
またこの発明の態様として、利用者による任意の配置を配置許容手段により許容し、該配置許容手段による任意の配置と、前記配置決定手段による配置とのいずれによって画像を配置するか配置方法選択手段により選択許容することができる。
【００２８】
前記配置許容手段は、利用者にタッチペン又は指でタッチされた座標を取得するタッチパネルやマウス等のポインティングデバイス（座標入力手段）で構成することを含む。
【００２９】
またこれによる配置方法としては、サムネイル表示した画像を配置枠（若しくは配置したい配置位置）にドラッグ＆ドロップする、サムネイル画像を選択した後に配置したい配置枠（若しくは配置したい配置位置）を選択するといった構成を含む。
【００３０】
また配置方法選択手段は、利用者にタッチペン又は指でタッチされた座標を取得するタッチパネルやマウス等のポインティングデバイス（座標入力手段）、選択可能な押下ボタン等で構成する選択スイッチ等で構成することを含む。
【００３１】
前記構成により、利用者は配置を写真撮影編集装置に任せるか、自分で配置するかを選択することができる。
【００３２】
従って、例えば撮影処理と編集処理が余った場合にゆっくりと利用者が自由に配置を決定し、撮影処理と編集処理に時間を要して余り時間がない場合は写真撮影編集装置に任せるといった選択を許容することが可能となる。
【００３３】
また例えば、先に配置方法を選択させる構成とすれば、写真撮影編集装置任せの場合は撮影処理や編集処理の制限時間を長くし、利用者が自由に配置を決定する場合は上記制限時間を短くするといったこともできる。
【発明の効果】
【００３４】
この発明により、複数の画像を配置する際に、利用者の希望に沿うレイアウトで配置し、かつその配置を短時間で行うことが可能となる。これにより、利用者の満足度の向上と、回転率向上による店舗経営者の満足度の向上を図ることができる。
【発明を実施するための最良の形態】
【００３５】
この発明の一実施形態を以下図面と共に説明する。  
まず、図１に示す斜視図と共に、写真シール作成機１の外観構成について説明する。
【００３６】
写真シール作成機１は、手前から奥へ向かって編集空間２ａ、撮影空間３、筐体１０、及び編集空間２ｂをこの順で配設しており、筐体１０の右側部に印刷空間５を備えている。
【００３７】
編集空間２ａには、普通人の立位での目線程度の高さに編集ユニット４０を備えている。この編集ユニット４０は、画像表示とタッチ入力の許容を行う編集処理用タッチパネル４１と、この編集処理用タッチパネル４１にタッチ入力する２つの編集処理用タッチペン４２，４２を備えている。
【００３８】
撮影空間３には、編集空間２ａと撮影空間３とを仕切って撮影画像の背景を構成する背景カーテン７を備えている。なお、該背景カーテン７は撮影空間３の図示手前側に位置するが、撮影空間３の両側面にも図示省略するカーテンを備えて撮影空間を囲繞している。この側面のカーテンは、撮影空間の出入り口としても機能する。
【００３９】
筐体１０は、正面左側に撮影処理での画像表示とタッチ入力の許容を行う撮影処理用タッチパネル２１と、硬貨の投入を受け付ける硬貨投入口２２と、硬貨の返却を行う硬貨返却口２３とを備えている。
【００４０】
筐体１０の正面中央には、ＣＣＤカメラ２７を備えてその下にライブビューパネル２８を備えている。ＣＣＤカメラ２７の左右には、利用者を正面から照明する照明装置２６，２６を配設している。またライブビューパネル２８の下方には、利用者の上半身を下からあおる角度で照明する照明装置２６を備えている。  
筐体１０の下方には、スピーカ２５，２５を左右に配設している。
【００４１】
印刷空間５には、筐体１０の右側面に設けた印刷処理用タッチパネル３１と写真シールシート排出口３３とを備えている。
【００４２】
編集空間２ｂには、筐体１０の背面側に設けた編集ユニット４０を備えている。該編集ユニット４０は、前述した編集空間２ａに設けたものと同一のものである。
【００４３】
以上の構成により、利用者は撮影空間３で撮影し、編集空間２ａ又は編集空間２ｂで撮影画像に編集し、印刷空間５で編集画像を印刷した写真シールシートを受け取ることができる。
【００４４】
次に、図２に示すブロック図と共に、写真シール作成機１の構成について説明する。  
写真シール作成機１は、制御部２０内に撮影処理部１３、撮影処理部１３、印刷処理部１５、及び課金処理部１６を備えており、この制御部２０に接続して下記の装置を備えている。
【００４５】
撮影処理用タッチパネル２１は、制御部２０の撮影処理部１３から受信する画像信号に従って画像を表示し、利用者によって指等でタッチされた座標信号を撮影処理部１３に送信する。
【００４６】
貨投入口２２と硬貨返却口２３は、制御部２０の課金処理部１６に接続されており、貨幣の投入と返却を行う。このとき、課金処理部１６は投入された硬貨の金種判別と真偽判別を行う。
【００４７】
記憶装置２４は、プログラムやデータを格納しており、撮影処理部１３、撮影処理部１３、及び印刷処理部１５によって呼び出される。上記データには、編集用のアイテムデータや背景データを格納している。また、編集処理でのサムネイル画像の配置に関するサムネイル用レイアウトデータ、及び印刷時の編集画像の配置に関する印刷用レイアウトデータも格納している。
【００４８】
スピーカ２５は、制御部２０の撮影処理部１３から音声信号を受信して、案内用の音声や効果音、バックミュージックを出力する。
【００４９】
照明装置２６は、ストロボ発光体と蛍光灯と拡散板と反射板とで構成しており、制御部２０の撮影処理部１３からの照明信号に従って略均一の閃光照明や連続照明を行う。
【００５０】
ＣＣＤカメラ２７は、制御部２０の撮影処理部１３からシャッタ信号を受信し、このシャッタ信号のタイミングで撮影して静止画像である撮影画像を撮影処理部１３に送信する。また、撮影前は動画像であるライブビュー画像を撮影処理部１３に送信する。
【００５１】
ライブビューパネル２８は、制御部２０の撮影処理部１３から前記ＣＣＤカメラ２７からのライブビュー画像を受信して動画表示し、利用者が撮影前にポーズをとって写りを確認できるようにする。
【００５２】
印刷処理用タッチパネル３１は、制御部２０の印刷処理部１５からの画像信号に従って画像を表示し、利用者に指等でタッチ入力された座標信号を印刷処理部１５に送信する。
【００５３】
プリンタ３２は、制御部２０の印刷処理部１５から印刷信号を受信してシール紙に印刷用画像を印刷し、写真シールシート排出口３３から排出する。
【００５４】
編集処理用タッチパネル４１は、制御部２０の撮影処理部１３からの画像信号に従って画像を表示し、利用者に編集処理用タッチペン４２でタッチ入力された座標信号を撮影処理部１３に送信する。
【００５５】
以上の構成により、ライブビューパネル２８による撮影前のポーズ確認、照明装置２６により照明した利用者を被写体とするＣＣＤカメラ２７による撮影、編集ユニット４０による撮影画像への編集、及び、プリンタ３２による写真シールシートの出力を行うことができる。
【００５６】
次に、図３〜図１１に示す印刷用レイアウト説明図と共に、記憶装置２４に記憶している印刷用レイアウトについて説明する。
【００５７】
この実施形態では、編集画像（撮影画像及び編集画像としても良い）から６枚まで画像をキープすることができ、このキープ画像を印刷用レイアウト上に配置して印刷用画像を作成する。印刷用レイアウトとしては、２分割タイプ（図３）、４分割タイプ（図４）、８分割タイプ（図５）、１２分割タイプ（図６）、１６分割タイプ（図７）、１８分割タイプ（図８）、２４（若しくは２０）分割タイプ（図９）、３２分割タイプ（図１０）、及び３６分割タイプ（図１１）の９種類の分割タイプを用意している。
【００５８】
各分割タイプでは、キープ画像の選択枚数が１枚から６枚のいずれかである場合に対応させて、以下に詳述するようにそれぞれ６種類ずつの印刷用レイアウトを設定している。この印刷用レイアウトは、各配置枠に優先順位が決まっており、キープ画像の優先順位に対応して画像を配置するように設定している。  
なお、各分割タイプでの印刷用レイアウトには、右一列に画像４枚分のおまけ配置枠を設けており、小さな画像を４枚提供する構成としている。
【００５９】
［２分割タイプ］
２分割タイプの印刷用レイアウト５１（５１ａ〜５１ｆ）は、図３に示す１枚選択（１枚選択用レイアウト５１ａ）から６枚選択（６枚選択用レイアウト５１ｆ）の６種類である。
【００６０】
ここで、１枚選択用レイアウト５１ａは、２つの配置枠５２にキープ画像（１枚のみ）をそれぞれ配置し、４つのおまけ配置枠５３にもキープ画像をそれぞれ配置する。
【００６１】
２枚選択用レイアウト５１ｂから６枚選択用レイアウト５１ｆは、配置枠５２に配置するキープ画像を利用者が自由に選択できる選択可能配置枠である。従って、同一の画像が各配置枠５２に配置される場合もあれば、異なる画像が配置枠５２に配置される場合もある。なお、２つの配置枠５２にデフォルト表示するキープ画像は、優先順位が１番目のキープ画像を両方に表示するが、優先順位が１番目と２番目のキープ画像を１枚ずつ表示しても良い。
【００６２】
おまけ配置枠５３については、２枚選択用レイアウト５１ｂであれば、上から［１］、［２］、［１］、［２］の順に配置する。ここで、［  ］内の数字はそのキープ画像の優先順位を示す。このおまけ配置枠５３は、利用者がキープ画像を選択できない選択不可能配置枠である。
【００６３】
３枚選択用レイアウト５１ｃであれば、上から［１］、［２］、［３］、［１］の順に配置する。  
４枚選択用レイアウト５１ｄであれば、上から［１］、［２］、［３］、［４］の順に配置する。
【００６４】
５枚選択用レイアウト５１ｂであれば、上から［３］、［４］、［５］、［１］の順に配置する。ここで、おまけ配置枠５３は、優先順位の低いキープ画像［３］、［４］、［５］から配置しているが、優先順位の高いキープ画像［１］、［２］は配置枠５２にて選択される可能性が高いと考えられるため、このように配置している。
【００６５】
６枚選択用レイアウト５１ｆであれば、上から［３］、［４］、［５］、［６］の順に配置する。この場合も、おまけ配置枠５３は、５枚選択用レイアウト５１ｂと同様に優先順位の低いキープ画像［３］、［４］、［５］、［６］を配置している。
【００６６】
このように設定した印刷用レイアウト５１により、主に利用者が２人である場合に選択される２分割タイプで、利用者の希望に沿うようにキープ画像を配置した印刷用画像を提供することができる。
【００６７】
［４分割タイプ］
４分割タイプの印刷用レイアウト５１（５１ａ〜５１ｆ）は、図４に示す１枚選択（１枚選択用レイアウト５１ａ）から６枚選択（６枚選択用レイアウト５１ｆ）の６種類である。
【００６８】
１枚選択用レイアウト５１ａは、４つの配置枠５２にキープ画像（１枚のみ）をそれぞれ配置し、４つのおまけ配置枠５３にもキープ画像をそれぞれ配置する。
【００６９】
この４分割タイプの場合は、おまけ配置枠５３だけでなく配置枠５２も利用者が選択できない選択不可能配置枠とし、利用者の選択によらずキープ画像を自動配置する設定としている。
【００７０】
２枚選択用レイアウト５１ｂは、左側の上下２つの配置枠５２に優先順位が高い（１番目の）キープ画像［１］を配置し、右側の上下２つの配置枠５２に優先順位が低い（２番目の）キープ画像［２］を配置している。
【００７１】
３枚選択用レイアウト５１ｃは、左側の上下２つの配置枠５２に優先順位が１番目のキープ画像［１］を２つ配置し、右側の上下２つの配置枠５２に優先順位が２番目のキープ画像［２］と３番目のキープ画像［３］を１つずつ配置している。また、おまけ配置枠５３には、上から［１］、［２］、［３］、［１］の順で配置している。
【００７２】
このように、優先順位の最も高いキープ画像［１］だけを配置枠５２に２つ配置して他のキープ画像［２］、［３］より多くしている。また、おまけ配置枠５３にも、他のキープ画像［２］、［３］より優先順位の最も高いキープ画像［１］だけを多くして２つ配置している。
【００７３】
また、このように配置することによって、この配置の印刷用画像を印刷した写真シールシートを上下半分に切って分けた場合、優先順位が高いキープ画像［１］は大きいサイズの配置枠５２と小さいサイズのおまけ配置枠５３に１つずつ存在することとなる。優先順位の低い［２］と［３］は、切り分けた上側は［３］が大きく、下側は［２］が大きいサイズとなる。
【００７４】
従って、利用者が２人の場合に、いずれの利用者も気に入っている［１］のキープ画像を多く確保した上で、［２］と［３］の好みによって上下に半分に切り分けた何れ側を取るか決めるといったことができる。
【００７５】
４枚選択用レイアウト５１ｄは、配置枠５２には左上、左下、右上、右下の順番に優先順位の高いキープ画像から配置している。また、おまけ配置枠５３にも、上から順番に優先順位の高いキープ画像から配置している。
【００７６】
５枚選択用レイアウト５１ｅは、配置枠５２が４つしかないために優先順位が高い［１］〜［４］のキープ画像を１つずつ配置し、優先順位が低い［５］のキープ画像はサイズが小さいおまけ配置枠５３に１つ配置している。おまけ配置枠５３は、上から順に［３］、［４］、［５］、［１］と配置している。
【００７７】
６枚選択用レイアウト５１ｆは、配置枠５２が４つしかないために優先順位が高い［１］〜［４］のキープ画像を１つずつ配置し、優先順位が低い［５］［６］のキープ画像はサイズが小さいおまけ配置枠５３に１つ配置している。おまけ配置枠５３は、上から順に［２］、［５］、［１］、［６］と配置して、優先順位の高い［１］［２］が全体として多くなるように配置している。
【００７８】
［８分割タイプ〜３６分割タイプ］
８分割タイプ〜３６分割タイプの印刷用レイアウト５１については、前述した４分割タイプと同様に、優先順位に従った配置を行う。配置枠５２には優先順位が高いキープ画像をなるべく多く配置し、おまけ配置枠５３も利用してキープ画像の割合を優先順位に従って調整している。
【００７９】
また、配置には複数人の利用者が切り分ける際（例えば２人で上下半分に切り分ける際）にも便利であるように工夫している。
【００８０】
例えば８分割タイプの５枚選択用レイアウト５１ｅであれば、上半分の配置枠５２には［５］がないためおまけ配置枠５３の上側に［５］を配置し、下半分の配置枠５２には［４］がないためおまけ配置枠５３の下側に［４］を配置している。優先順位が高い［１］〜［３］は配置枠５２に２枚ずつを上下に分けて配置していると共に、最も優先順位が高い［１］はおまけ配置枠５３でも２枚ずつを上下に分けて配置している。
【００８１】
他にも、１８分割タイプの５枚選択用レイアウト５１ｅであれば、左側６つの配置枠５２に［１］〜［５］，［１］を配置し、この配置を横方向へ３つ連続させている。これにより、この６枚単位で切り分ければ、３人の利用者が６枚ずつの写真シールを確実に得られ、おまけ配置枠５３の画像を別途分け合うことができるようにしている。
【００８２】
また、１２分割タイプは、配置枠５２をさらに大きさの異なる２つサイズに分けて、大サイズ配置枠５２１、中サイズ配置枠５２２としており、おまけ配置枠５３を小サイズ配置枠として３種類のサイズでキープ画像を配置する設定としている。
【００８３】
ここでも、例えば６枚選択用レイアウト５１ｆに示すように、大サイズ配置枠５２１に優先順位が高い［１］〜［４］を配置し、中サイズ配置枠５２２に優先順位が低い［４］、［５］を配置している。また、おまけ配置枠５３には上から順に［１］〜［４］を１毎ずつ配置している。
【００８４】
そして、上下に半分に切り分けた場合、上下何れ側であっても［１］〜［６］が必ず１枚はあるように配置している。
【００８５】
また、２４分割タイプでは、配置枠５２を大サイズ配置枠５２１と小サイズ配置枠５２３とで構成しており、小サイズ配置枠５２３はおまけ配置枠５３と同一サイズに構成している。
【００８６】
そして、１枚選択用レイアウト５１ａ〜４枚選択用レイアウト５１ｄについては大サイズ配置枠５２１を８つとしているが、５枚選択用レイアウト５１ｅと６枚選択用レイアウト５１ｆについては大サイズ配置枠５２１を１２個に増加させている。これにより、［１］〜［６］のいずれのキープ画像も、大きいサイズである大サイズ配置枠５２１に必ず２つは存在する設定としている。
【００８７】
なお、２分割タイプ、１６分割タイプ、２４分割タイプ、及び３２分割タイプは主に２人用であり、１８分割タイプ、及び３６分割タイプは主に３人用である。
【００８８】
次に、図１２、図１５、及び図１８の処理フロー図と共に、図１３、図１４、図１６、図１７、図１９〜図２１の画面イメージ説明図を参照して、写真シール作成機１の制御部２０が１プレイ内で実行する全体動作について説明する。
【００８９】
まず、制御部２０は待機状態で図１３の（Ａ）に示す硬貨投入指示画面７１を撮影処理用タッチパネル２１（図１）に表示する（ステップｎ１）。
【００９０】
貨投入口２２からの硬貨投入を制御部２０の課金処理部１６で確認すると（ステップｎ２）、制御部２０の撮影処理部１３は、図１３の（Ｂ）に示す撮影コース選択画面７２を撮影処理用タッチパネル２１に表示する（ステップｎ３）。
【００９１】
この撮影処理用タッチパネル２１では、無地の色付きの背景カーテンで撮影して明るさ調整ができるキラツヤ撮影と、雪の景色や南国の景色などの背景カーテンで撮影するリゾート撮影の２つの撮影モードを選択許容する。
【００９２】
撮影モードが決定すると、撮影処理部１３は撮影処理を実行する（ステップｎ４）。この撮影処理では、ＣＣＤカメラ２７で撮っている動画映像をライブビューパネル２８に表示をして所定時間ポーズの決定を許容する。そして、音と表示でカウントダウンを行い、このカウントダウンのタイミングで照明装置２６のストロボ発光とＣＣＤカメラ２７による撮影（静止画の取得）を行う。
【００９３】
撮影処理部１３は、図１４の（Ａ）の撮影画像確認画面７３に示すように、撮影した撮影画像（静止画）７３ａを撮影処理用タッチパネル２１に表示し（ステップｎ５）、この撮影画像７３ａをキープ（保存）するか選択させる（ステップｎ６）。
【００９４】
キープされなかった場合は（ステップｎ６：ＮＯ）、撮影処理に設定している制限時間内か判定し（ステップｎ７）、制限時間内であれば（ステップｎ７：ＹＥＳ）、ステップｎ４にリターンして再度撮影処理を繰り返す。
【００９５】
制限時間が経過していた場合は（ステップｎ７：ＹＥＳ）、ステップｎ９に処理を進める。
【００９６】
画像がキープされると（ステップｎ６：ＹＥＳ）、撮影処理用の制限時間内でかつ撮影可能な制限枚数内（若しくはキープ可能な制限枚数内）か判定する（ステップｎ８）。
【００９７】
制限内であれば（ステップｎ８：ＹＥＳ）、ステップｎ４にリターンして再度撮影処理を繰り返す。制限時間経過か制限枚数撮影済みの場合は（ステップｎ８：ＮＯ）、図１４の（Ｂ）に示す編集空間振分画面７４を撮影処理用タッチパネル２１に表示する（ステップｎ９）。
【００９８】
この説明の例では、編集空間２ａ（図１）へ移動するように表示しているが、撮影後の利用者を編集空間２ａと編集空間２ｂとに交互に振り分けることで、利用者が長時間編集できるようにしている。
【００９９】
撮影処理部１３は、前記ステップｎ９で案内した側の編集空間２（この説明の例では編集空間２ａ）の編集ユニット４０の編集処理用タッチパネル４１に、図１６の（Ａ）に示すように編集画像選択画面７５を表示する（図１５のステップｎ１０）。
【０１００】
この編集画像選択画面７５では、複数の撮影画像７５ａを表示し、最大キープ枚数（この例では最大６枚）内で利用者がキープしたい（編集したい）撮影画像７５ａを自由に選択許容する。
【０１０１】
利用者によって画像がキープされると、撮影処理部１３は選択された順番を撮影画像選択順データ（例えばフラグでも良い）としてキープされた画像に付与する（ステップｎ１１）。なお、この撮影画像選択順データは、次に説明する編集処理の際に撮影画像を表示する表示順を決定するための優先順位となる。
【０１０２】
撮影処理部１３は、図１６の（Ｂ）に示すように、画像編集画面７６を編集処理用タッチパネル４１に表示する（ステップｎ１２）。この画像編集画面７６では、編集中の画像を表示する編集画像表示部７６ａと、ペンツールやスタンプツール等の描画ツール７６ｂとを、２人が同時に編集できるように同じもの２つを左右に表示している。
【０１０３】
画面中央には撮影画像のサムネイル画像７６ｃを縦並びに表示している。このサムネイル画像７６ｃの表示順は、上から順に優先順位の高いもの、すなわち前記撮影画像選択順データに記録されている選択順で先に選択されたものから順に並べ替えて表示している。
【０１０４】
一般に、利用者がステップｎ１０〜ｎ１１にて編集する画像（キープ画像）を選択する際には、気に入った画像から選択すると考えられる。このため、利用者の好みの画像から順番にサムネイル表示することで、利用者が気に入った画像から編集することが容易となり、利用者の満足度を向上させることができる。
【０１０５】
現在編集されているサムネイル画像７６ｃについては、図示するように「編集中」の表示と「（左）」又は「（右）」の表示を行ない、その編集画像（編集前は撮影画像）がどちらで編集されているか示すと共に、２人が別々に同一の編集画像に描画することを防止している。これにより、「未編集（撮影の画像をそのまま表示）」、「編集中（編集中と表示）」、「編集済（編集後の画像を表示）」がわかるようにしている。
【０１０６】
制御部２０の撮影処理部１３は、利用者が編集処理用タッチペン４２で編集処理用タッチパネル４１をタッチすることで、描画ツール７６ｂを用いて撮影画像に編集して編集画像とする編集を受け付ける（ステップｎ１３）。
【０１０７】
このとき撮影処理部１３は、利用者の編集内容によって想定できる好みの編集画像の順番を編集順データ（例えばフラグでも良い）として付与する（ステップｎ１４）。この場合の編集順データは、左右それぞれの編集画像表示部７６ａで重み付けを行うと共に、編集時間の長さで重み付けを行って優先順位を付け、この優先順位の順番を編集順データとする。
【０１０８】
例えば、１番目に編集開始されれば６ポイント、２番目に編集開始されれば５ポイントと１ポイントずつ差を付ける等により、編集開始の順番による重み付けを行う。こうすると、１つの編集画像についての編集時間１分を１ポイントとして編集時間による重み付けを行うことができる。この場合であれば、合計ポイントの順に優先順位を付けることができ、これを編集順データとすることができる。
【０１０９】
撮影処理部１３は、編集用の制限時間までステップｎ１２にリターンして編集継続を許容する（ステップｎ１５：ＹＥＳ）。制限時間が経過すれば（ステップｎ１５：ＮＯ）、編集処理用タッチパネル４１に印刷画像選択画面７７を表示して利用者に印刷する画像を選択させる（ステップｎ１６）。
【０１１０】
ここでは、ステップｎ１３の編集処理で編集された画像だけを編集画像７７ａとして表示し、この編集画像７７ａの中から最大キープ枚数（この例では６枚）まで自由に選択を許容する。またこのとき表示する編集画像７７ａの表示順は、左上から右下へ順番に、前記編集順データとして付与した優先順位に沿った順番に並べ替えて設定している。
【０１１１】
なお、このとき選択可能な画像としては、編集画像７７ａに限らず、編集していない撮影画像も選択可能に設定しても良い。この場合は、時間が足りず編集できなかった撮影画像を選択することができ、また編集画像とその編集前の撮影画像とを選択することもできる。
【０１１２】
利用者によって印刷する編集画像７７ａが選択されると、その画像に選択された順番を印刷画像選択順データ（例えばフラグでも良い）として付与する（ステップｎ１７）。
【０１１３】
撮影処理部１３は、図１７の（Ｂ）に示すように分割枚数選択画面７８を編集処理用タッチパネル４１に表示し、分割枚数を利用者に選択させる（ステップｎ１８）。
【０１１４】
この分割枚数選択画面７８では、図示する２分割タイプ、４分割タイプ、８分割タイプ、１２分割タイプに加えて、図示省略するスクロールバーが操作されれば表示する１６分割タイプ、１８分割タイプ２４（２０）分割タイプ、３２分割タイプ３６分割タイプが存在する。
【０１１５】
ここで、利用者によって自動配置ボタン７８ｃがタッチされると、前記ステップｎ１７での印刷画像選択順データに従って画像を自動で配置して印刷用画像を生成する。この配置は、前述した図３〜図１１の印刷用レイアウトによって決定する。
【０１１６】
利用者によって自由配置ボタン７８ｄがタッチされた場合は、利用者が選択した分割パターン７８ａの各配置枠（配置枠５２及びおまけ配置枠５３）に自由配置用のサムネイル画像７８ｂをドラッグ＆ドロップすることを許容する。これにより、利用者による自由な画像の配置を許容する。
【０１１７】
このようにしてレイアウトが決定するまでステップｎ１８を行い（ステップｎ１９：ＮＯ）、レイアウトが決定すると（ステップｎ１９：ＹＥＳ）、制御部２０の印刷処理部１５がシール印刷を実行する（ステップｎ２０）。
【０１１８】
撮影処理部１３は、図１９の（Ａ）に示すように移動指示画面７９を表示し、利用者を印刷空間５（図１）に誘導する（ステップｎ２１）。
【０１１９】
制御部２０の印刷処理部１５は、図１９の（Ｂ）に示す画像転送選択画面８０を印刷処理用タッチパネル３１に表示し（ステップｎ２２）、画像転送を行うか画像転送を行わずにゲームをするか選択させる（ステップｎ２３）。
【０１２０】
画像転送が選択された場合は（ステップｎ２３：ＹＥＳ）、図２０の（Ａ）に示すメールアドレス入力画面８１を表示する（ステップｎ２４）。
【０１２１】
このメールアドレス入力画面８１では、携帯電話のメールアドレスに送信する場合の入力補助として、携帯電話会社（キャリア）選択ボタン８１ａを備えている。携帯電話会社選択ボタン８１ａがタッチされると、その携帯電話会社によって決まる「＠」以降のアドレス部分８１ｃが入力不要となる。
【０１２２】
キーボタン８１ｄは、「＠」以前のアドレス部分８１ｂを入力するボタンであり、携帯電話以外のメールアドレスの場合は、これによって「＠」以降のアドレス部分８１ｃも入力許容する。
【０１２３】
次へボタン８１ｅがタッチされると、図２０の（Ｂ）に示す入力内容確認画面８２を印刷処理用タッチパネル３１に表示する（ステップｎ２５）。
【０１２４】
再入力ボタン８２ａがタッチされると（ステップｎ２６：ＮＯ）、ステップｎ２４にリターンしてメールアドレスの再入力（若しくは修正）を許容する。
【０１２５】
次へボタン８２ｂがタッチされると（ステップｎ２６：ＹＥＳ）、入力内容を受け付けて入力されたメールアドレスへの画像の転送を実行する（ステップｎ２７）。
【０１２６】
ここで転送する画像は、前述したステップｎ１６で選択された編集画像を、全て転送する、あるいは印刷画像選択順データで優先順位の高いものから所定枚数（例えば１枚や２枚）を転送する設定とすると良い。
【０１２７】
また、画像の解像度は、印刷用の高解像度で転送するが、画面表示用の低解像度で転送しても良い。また、携帯電話へは低解像度で転送し、それ以外のパーソナルコンピュータへは高解像度で転送する設定としても良い。
【０１２８】
上記転送を行った後、制限時間内であれば（ステップｎ２８：ＹＥＳ）、ステップｎ２４にリターンして再度メールの転送を繰り返して許容する。これにより、複数のメールアドレスへの転送を可能としている。
【０１２９】
制限時間が経過していた場合は（ステップｎ２８）、図２１の（Ａ）に示す事後接客終了画面８３を表示する（ステップｎ２９）。事後接客終了画面８３では、広告画像８３ａを表示し、発売予定の新機種の案内や、発売中の機種や旧機種のバージョンアップ（例えば編集用の描画ツールの変更や追加など）の案内等を行う。
【０１３０】
印刷処理部１５は、プリンタ３２によってシール紙（粘着剤を塗布した印刷用紙を剥離紙に貼り付けたもの）に印刷用画像を印刷した写真シールシートを、写真シールシート排出口３３から排出し（ステップｎ３０）、処理を終了する。
【０１３１】
前記ステップｎ２３で画像転送が選択されずゲームが選択された場合は（ステップｎ２３：ＮＯ）、図２１の（Ｂ）に示すようにゲーム開始画面８４を印刷処理用タッチパネル３１に表示する（ステップｎ３１）。
【０１３２】
印刷処理部１５は、利用者によるゲームを許容した後（ステップｎ３２）、処理を終了する。ゲームの例としては、図示するように右側にバラバラに表示したピース画像を、左側の枠に並べて１枚の画像を完成させるパズルゲーム等を実行する。このときの画像には、撮影画像や編集画像を使用しても良く、全く関係のない風景や動物の写真等の画像を使用しても良い。
【０１３３】
また、他のゲームの例としては、印刷待ちの間に画像で似顔絵作成や占いができるゲームにしても良い。この場合、その前工程の一番初めに選ばれた画像を利用する構成とすると良い。
【０１３４】
以上の動作により、利用者は１プレイ内で撮影処理、編集処理、印刷処理を実行することができ、そのプレイ内の前の処理によって、写真シール作成機１は表示する画像の順序や印刷する画像の配置順序を決定することができる。
【０１３５】
これにより、利用者は好みの画像が希望に沿うサイズや数量で配置された写真シールシートを容易かつ迅速に取得することができる。
【０１３６】
特に撮影処理や編集処理では、枚数や時間に制限があるため、多くの利用者はお気に入りの画像から選ぼうとするため、選択順はほぼ「お気に入りの順番」になる。これにより、利用者が編集時にお気に入りの画像が選びやすい写真シール作成機１、及び、印刷時にお気に入りの画像から優先的に配置された写真シールシートが得られる写真シール作成機１を提供できる。
【０１３７】
編集処理に際しては、前の工程にて編集に使用する撮影画像を選択した際の利用者の選択行動によって、撮影画像の優先順位を決定する。この優先順位で図１６の（Ｂ）に示した画像編集画面７６のサムネイル画像７６ｃを並べることで、利用者は選択した順番、すなわち気に入った画像の順番でサムネイル画像７６ｃを確認できる。上から順に編集すれば、気に入った画像の順で編集できるため、違和感なく編集を進めていくことができ、また気に入った画像に対する編集を忘れることを防止できる。
【０１３８】
印刷に際しては、図１７の（Ｂ）に示した印刷画像選択画面７７にて、編集順や編集時間の長さによって定める優先順位で画像を表示するため、利用者は気に入った画像から順番に並んでいる画像を見て印刷する画像を決定できる。
【０１３９】
また、印刷用画像を作成するための印刷用レイアウトを決定する際には、印刷する画像として選択された順に優先順位をつけて自動配置できるため、利用者の好みに沿う配置を行った印刷用画像を容易かつ迅速に作成することができる。
【０１４０】
利用者が印刷用レイアウトにこだわる場合や、希望する画像が極端に偏っているような場合には、利用者が自由に配置してレイアウトを決定することもでき、利用者の満足度を向上させることができる。
【０１４１】
印刷用レイアウトは、分割タイプ毎に、印刷する編集画像の枚数分の配置パターンを用意しているため、編集画像を印刷用レイアウトに嵌め込んだ印刷用画像を容易かつ迅速に作成できる。また、また利用者の好みにも容易に沿うことができる。
【０１４２】
また、待ち時間を潰すために設けた事後接客の際に、選択時間をなくすことで、利用者に短い時間を最大限に楽ませることができる。
【０１４３】
なお、プログラムが優先順位に基づいて自動でレイアウト決定した印刷用レイアウトが利用者に好まれなければ、自動で再度レイアウトし直す再配置機能を備えても良い。これにより、画像が自動でレイアウト上に配置された印刷用画像を見た利用者が、そのレイアウトを気に入らなかった場合、容易にレイアウトを変更することができる。
【０１４４】
例えば、上述した実施形態による自動配置では、印刷設定時にプレビュー表示する分割パターンが大サイズ１つ、中サイズ２つに区切られており、利用者が絞り込んだ画像が３枚の時、最初に選択された画像を大サイズに配置し、２番目と３番目に選択された画像を中サイズに配置する構成としている。
【０１４５】
このレイアウトが気に入らない時に、再配置機能を利用することで、２番目に選択された画像を大サイズに配置し、３番目と１番目に選択された画像を中サイズに配置することができる。同様に、次の再配置を実行すれば、３番目を大サイズに配置する設定とすることができる。同じ画像を複数箇所に使いたい場合は、サムネイル表示されている画像をドラッグ＆ドロップでレイアウトして好きなように印刷できる。
【０１４６】
また、明るさやコントラスト等の調整をする工程を含む構成としても良い。この場合、その前工程の一番初めに選ばれた画像をサンプルとして表示し、その画像で明るさやコントラスト等の調整をし、それらの調整を他の全ての画像に適用するようにすると良い。
【０１４７】
これにより、お気に入りの画像を代表として明るさやコントラスト等を調整し、全ての画像を一括処理することができる。従って、全ての画像を調整する手間と時間を省かすことができ、それ以外にかけられる時間を増やすことができる。
【０１４８】
また、前記ステップｎ２４〜ｎ２８の画像転送の際、1枚のみを無料で閲覧できるようにし、複数枚（例えば２枚以上）は有料で閲覧できるように設定しても良い。
【０１４９】
この場合、利用者に対しては１枚だけ選べるようにしておき、残りはその前工程で選択された順番で制限枚数保存しておくと良い。これにより、有料で画像を閲覧する際には、お気に入りの画像をいち早く閲覧することができる。
【０１５０】
また、撮影時間が終了しても前の利用者がまだ編集作業をしていて編集作業に移れない場合に、撮影していた利用者が追加撮影できるように構成しても良い。  
この場合は、追加撮影で気に入った画像が撮れた時は、編集する画像の絞り込み選択（複数ある撮影画像から編集する画像を制限枚数内で選択）の際に、その前工程で選んだ順番の後から順番に差し替えができるようにすると良い。
【０１５１】
これにより、追加撮影した画像の中でお気に入りの画像が撮影できた場合、最初に撮影した画像の中でもあまり気に入っていない画像と差し替えができるようになり、より利用者の満足度を向上させることができる。
【０１５２】
また、自動配置ボタン７８ｃをタッチした後に自由配置ボタン７８ｄをタッチした場合は、先の自動配置のレイアウトをクリアして真っ白の状態から自由配置可能としても良いが、先の自動配置を残してその上から修正できる構成としても良い。また、自動配置をデフォルト表示とし、そこから利用者が必要に応じて任意に配置を変更できる構成としても良い。
【０１５３】
これらにより、利用者の希望に沿う印刷用レイアウトを瞬時に提供した上で、さらに利用者が好みによって微修正することができ、利用者の好みに最適な配置で編集画像を割り付けた写真シールシートを、迅速に作成することが可能となる。
【０１５４】
また、図１５のステップｎ１６〜ｎ１７を省略し、ステップｎ１３〜ｎ１４による編集順データの優先順位で、ステップｎ１８〜ｎ１９での印刷用レイアウトの自動配置を行う構成としても良い。
【０１５５】
この場合は、工程数を削減して、１プレイの時間を短くする、あるいは撮影や編集の時間を長くすることができ、その上で利用者の好みに沿って編集画像を自動配置した写真シールシートを提供することができる。
【０１５６】
また、編集順データは、単純に選択された順番で構成する、あるいは、単純に編集時間の長い順番で構成しても良い。この場合も、利用者の希望に沿った自動配置ができ、編集画像を適切に配置した写真シールシートを出力することができる。
【０１５７】
この発明の構成と、上述の実施形態との対応において、
この発明の写真撮影編集装置は、実施形態の写真シール作成機１に対応し、
以下同様に、
撮影手段は、ＣＣＤカメラ２７に対応し、
出力手段は、プリンタ３２に対応し、
編集手段は、編集処理用タッチパネル４１及び編集処理用タッチペン４２で構成する編集ユニット４０に対応し、
レイアウトは、印刷用レイアウト５１（５１ａ〜５１ｆ）に対応し、
配置枠は、配置枠５２及びおまけ配置枠５３に対応し、
サイズが大きい配置枠は、配置枠５２若しくは大サイズ配置枠５２１に対応し、
編集対象画像は、撮影画像７３ａに対応し、
所定の画像は、編集画像７７ａに対応し、
配置許容手段は、分割パターン７８ａ、サムネイル画像７８ｂ、及び自由配置ボタン７８ｄに対応し、
配置方法選択手段は、自動配置ボタン７８ｃ及び自由配置ボタン７８ｄに対応し、
撮影処理は、ステップｎ３〜ｎ８に対応し、
編集処理は、ステップｎ１０〜ｎ１５に対応し、
配置決定手段は、ステップｎ１１〜ｎ１２、ステップｎ１４，ｎ１６、ステップｎ１７〜ｎ１８を実行する制御部２０に対応し、
出力処理は、ステップｎ１６〜ｎ２０，ｎ３０に対応し、
入力情報は、撮影画像選択順データ、編集順データ、編集画像選択順データに対応し、
優先順位は、選択順又は編集順に対応し、
優先順位が高い画像は、選択順又は編集順が上位の画像にするも、
この発明は、上述の実施形態の構成のみに限定されるものではなく、多くの実施の形態を得ることができる。
【図面の簡単な説明】
【０１５８】
【図１】写真シール作成機の外観を示す斜視図。
【図２】写真シール作成機の構成を示すブロック図。
【図３】２分割タイプの印刷用レイアウトの説明図。
【図４】４分割タイプの印刷用レイアウトの説明図。
【図５】８分割タイプの印刷用レイアウトの説明図。
【図６】１２分割タイプの印刷用レイアウトの説明図。
【図７】１６分割タイプの印刷用レイアウトの説明図。
【図８】１８分割タイプの印刷用レイアウトの説明図。
【図９】２４分割タイプの印刷用レイアウトの説明図。
【図１０】３２分割タイプの印刷用レイアウトの説明図。
【図１１】３６分割タイプの印刷用レイアウトの説明図。
【図１２】写真シール作成機の制御部の動作を示す処理フロー図。
【図１３】硬貨投入指示画面と撮影コース選択画面の画面イメージ説明図。
【図１４】撮影画像確認画面と編集空間振分画面の画面イメージ説明図。
【図１５】写真シール作成機の制御部の動作を示す処理フロー図。
【図１６】編集空間振分画面と画像編集画面の画面イメージ説明図。
【図１７】印刷画像選択画面と分割枚数選択画面の画面イメージ説明図。
【図１８】写真シール作成機の制御部の動作を示す処理フロー図。
【図１９】移動指示画面と画像転送選択画面の画面イメージ説明図。
【図２０】メールアドレス入力画面と入力内容確認画面の画面イメージ説明図。
【図２１】事後接客終了画面とゲーム開始画面の画面イメージ説明図。
【符号の説明】
【０１５９】
１…写真シール作成機
２７…ＣＣＤカメラ
３２…プリンタ
４０…編集ユニット
４１…編集処理用タッチパネル
４２…編集処理用タッチペン
５１…印刷用レイアウト
５１ａ…１枚選択用レイアウト
５１ｂ…２枚選択用レイアウト
５１ｃ…３枚選択用レイアウト
５１ｄ…４枚選択用レイアウト
５１ｅ…５枚選択用レイアウト
５１ｆ…６枚選択用レイアウト
５２…配置枠
５３…おまけ配置枠
５２１…大サイズ配置枠
７３ａ…撮影画像
７７ａ…編集画像
８７ａ…分割パターン
７８ｂ…サムネイル画像
７８ｃ…自動配置ボタン
７８ｄ…自由配置ボタン
【図１】
2006050064.tif 000003
【図２】
2006050064.tif 000004
【図３】
2006050064.tif 000005
【図４】
2006050064.tif 000006
【図５】
2006050064.tif 000007
【図６】
2006050064.tif 000008
【図７】
2006050064.tif 000009
【図８】
2006050064.tif 000010
【図９】
2006050064.tif 000011
【図１０】
2006050064.tif 000012
【図１１】
2006050064.tif 000013
【図１２】
2006050064.tif 000014
【図１３】
2006050064.tif 000015
【図１４】
2006050064.tif 000016
【図１５】
2006050064.tif 000017
【図１６】
2006050064.tif 000018
【図１７】
2006050064.tif 000019
【図１８】
2006050064.tif 000020
【図１９】
2006050064.tif 000021
【図２０】
2006050064.tif 000022
【図２１】
2006050064.tif 000023